(57)【要約】  【課題】使用の自由度を向上させた用紙、及びこの用紙を備えてなる冊子を提供する。  【解決手段】この冊子Ａは、対をなす表紙１、２間に同一形状をなす複数本の罫線ｋを施した用紙である中紙３を複数枚綴じてなるものであり、前記各罫線ｋが、視覚的に異なる複数種類の線ｋ１、ｋ２を連続させたものとした。【選択図】図１
2012035505.tif 000002
【特許請求の範囲】
【請求項１】
対をなす表紙間に同一形状をなす複数本の罫線を施した中紙を複数枚綴じてなる冊子であって、
前記各罫線が、視覚的に異なる複数種類の線で連続させたものであることを特徴とする冊子。
【請求項２】
前記各罫線における視覚的に異なる複数種類の線が、相互に太さが異なるものである請求項１記載の冊子。
【請求項３】
前記各罫線における視覚的に異なる複数種類の線が、相互に色彩が異なるものである請求項１又は２記載の冊子。
【請求項４】
前記各罫線における視覚的に異なる複数種類の線が、相互に形状の異なるものである請求項１、２又は３記載の冊子。
【請求項５】
前記各罫線における視覚的に異なる複数種類の線が、主に文章を書き込むための主要な線と補助的な線とからなるものであり、前記主要な線に、行頭を示唆するための目印を施している請求項１、２、３又は４記載の冊子。
【請求項６】
前記中紙に、外側の角を区成する斜線を施している請求項１、２、３、４又は５記載の冊子。
【請求項７】
前記中紙に、任意の記号等の表示を設けるための表示欄を施している請求項１、２、３、４、５又は６記載の冊子。
【請求項８】
前記中紙に、一部を切り離すための切り取り線を設けている請求項１、２、３、４、５、６又は７記載の冊子。
【請求項９】
前記各表紙が、使用方向を示唆する表示をそれぞれ有したものであり、
前記一方の表紙に表示された使用方向と、前記他方の表紙に表示された使用方向とを相反させている請求項１、２、３、４、５、６、７又は８記載の冊子。
【請求項１０】
前記中紙に施された罫線を含む印刷パターンが、前記中紙を見開いた状態において、上下及び左右に対称となるように設定されている請求項９記載の冊子。
【請求項１１】
前記各罫線における視覚的に異なる複数種類の線が、主に文章を書き込むための主要な線と補助的な線とからなるものであり、前記主要な線の両端部に、行頭を示唆するための目印をそれぞれ施している請求項９又は１０記載の冊子。
【請求項１２】
同一形状をなす複数本の罫線を施した用紙であって、
前記各罫線が、視覚的に異なる複数種類の線で連続させたものであることを特徴とする用紙。
【請求項１３】
前記各罫線における視覚的に異なる複数種類の線が、相互に太さが異なるものである請求項１２記載の用紙。
【請求項１４】
前記各罫線における視覚的に異なる複数種類の線が、相互に色彩が異なるものである請求項１２又は１３記載の用紙。
【請求項１５】
前記各罫線における視覚的に異なる複数種類の線が、相互に形状の異なるものである請求項１２、１３又は１４記載の用紙。
【発明の詳細な説明】
【技術分野】
【０００１】
本発明は、ノート等として好適に用いられる冊子、及び用紙に関する。
【背景技術】
【０００２】
従来から、この種の冊子として対をなす表紙間に複数枚の用紙である中紙を綴じたものが知られている（例えば特許文献１参照）。このようなものにおいては、文字の記入箇所を案内する目的で、中紙の左右両側縁部間を左右方向に延びる罫線が、上下方向に一定間隔をあけて複数本配されているのが一般的である。このため、前述する中紙については、文字等の記入の便宜は図られているものの、使用目的が異なる複数の領域があらかじめ視認可能に設定されているものはなかった。
【０００３】
一方、左右方向に延びる罫線に加えて、上下方向に延びる縦線をさらに表示することにより、前述の領域設定を行っているものは存在するが、このようなものでは、視覚的に縦線によって左右領域が明確に分断されてしまい、結果として全体的に使用方法が強制されることとなり使用の自由度が下がるものとなっていた。
【０００４】
以上の事情は、種々の目的に使用される用紙においても同様である。
【先行技術文献】
【特許文献】
【０００５】
【特許文献１】特開２０１０−３６３６９号公報
【発明の概要】
【発明が解決しようとする課題】
【０００６】
本発明は、以上のような事情に着目してなされたもので、複数の罫線を有した中紙を備えたものにおいて、使用の自由度を向上させた冊子を提供することを目的とする。また、使用の自由度を向上させた用紙を提供することを目的とする。
【課題を解決するための手段】
【０００７】
すなわち、本発明の冊子及び用紙は次のような構成をなすものである。
【０００８】
請求項１に記載の冊子は、対をなす表紙間に同一形状をなす複数本の罫線を施した中紙を複数枚綴じてなる冊子であって、前記各罫線が、視覚的に異なる複数種類の線で連続させたものである。
【０００９】
請求項２に記載の冊子は、請求項１に係る構成において、前記各罫線における視覚的に異なる複数種類の線が、相互に太さが異なるものである。
【００１０】
請求項３に記載の冊子は、請求項１又は２に係る構成において、前記各罫線における視覚的に異なる複数種類の線が、相互に色彩が異なるものである。なお、「色彩が異なる」とは、色相、彩度、及び明度の各要素のうち、一つの要素が異なっていればよく、例えば、色の濃度が異なることも含んだ概念である。
【００１１】
請求項４に記載の冊子は、請求項１、２又は３に係る構成において、前記各罫線における視覚的に異なる複数種類の線が、相互に形状の異なるものである。
【００１２】
請求項５に記載の冊子は、請求項１、２、３又は４に係る構成において、前記各罫線における視覚的に異なる複数種類の線が、主に文章を書き込むための主要な線と補助的な線とからなるものであり、前記主要な線に、行頭を示唆するための目印を施しているものである。
【００１３】
請求項６に記載の冊子は、請求項１、２、３、４又は５に係る構成において、前記中紙に、外側の角を区成する斜線を施しているものである。
【００１４】
請求項７に記載の冊子は、請求項１、２、３、４、５又は６に係る構成において、前記中紙に、任意の記号等の表示を設けるための表示欄を施しているものである。
【００１５】
請求項８に記載の冊子は、請求項１、２、３、４、５、６又は７に係る構成において、前記中紙に、一部を切り離すための切り離し線を設けているものである。
【００１６】
請求項９に記載の冊子は、請求項１、２、３、４、５、６、７又は８に係る構成において、前記各表紙が、使用方向を示唆する表示をそれぞれ有したものであり、前記一方の表紙に表示された使用方向と、前記他方の表紙に表示された使用方向とを相反させているものである。
【００１７】
請求項１０に記載の冊子は、請求項９に係る構成において、前記中紙に施された罫線を含む印刷パターンが、前記中紙を見開いた状態において、上下及び左右に対称となるように設定されているものである。
【００１８】
請求項１１に記載の冊子は、請求項９又は１０に係る構成において、前記各罫線における視覚的に異なる複数種類の線が、主に文章を書き込むための主要な線と補助的な線とからなるものであり、前記主要な線の両端部に、行頭を示唆するための目印をそれぞれ施しているものである。
【００１９】
請求項１２に記載の用紙は、同一形状をなす複数本の罫線を施した用紙であって、前記各罫線が、視覚的に異なる複数種類の線で連続させたものである。  請求項１３に記載の用紙は、請求項１２に係る構成において、前記各罫線における視覚的に異なる複数種類の線が、相互に太さが異なるものである。
【００２０】
請求項１４に記載の用紙は、請求項１２又は１３に係る構成において、前記各罫線における視覚的に異なる複数種類の線が、相互に色彩が異なるものである。
【００２１】
請求項１５に記載の用紙は、請求項１２、１３又は１４に係る構成において、前記各罫線における視覚的に異なる複数種類の線が、相互に形状の異なるものである。
【発明の効果】
【００２２】
本発明によれば、複数の罫線を有した中紙を備えたものにおいて、使用の自由度を向上させた冊子を提供することができる。また、使用の自由度を向上させた用紙を提供することができる。
【図面の簡単な説明】
【００２３】
【図１】本発明の一実施形態を示す斜視図。
【図２】同実施形態における表紙を展開した状態を示す平面図。
【図３】同実施形態における中紙を見開いた状態を示す平面図。
【図４】同実施形態における中紙の拡大平面図。
【図５】同実施形態における中紙を見開いた状態を示す説明図。
【図６】同実施形態における中紙の使用例を示す概略説明図。
【図７】同実施形態における表示欄の使用例を示す概略説明図。
【発明を実施するための形態】
【００２４】
以下、本発明の一実施形態を、図１〜図５を参照して説明する。
【００２５】
本実施形態は、本発明を学習ノートとして用いられる冊子Ａに適用したものである。
【００２６】
この冊子Ａは、対をなす表紙１、２間に同一形状をなす複数本の罫線ｋを施した用紙である中紙３を複数枚綴じてなるものである。そして、中紙３に施された各罫線ｋが、視覚的に異なる複数種類の線ｋ１、ｋ２を連続させて罫線を形成したものとなっている。この冊子Ａは、各表紙１、２の外面１１、２１に、使用者の使用方向を示唆する表示ｓ１、ｓ２をそれぞれ有している。そして、前記一方の表紙１における表示ｓ１により示唆された使用方向と、前記他方の表紙２における表示ｓ２により示唆された使用方向とを相反させている。
【００２７】
詳述すれば、一方の表紙１には、図２における下辺１２に沿って印刷により『ＫＯＫＵＹＯ』（登録商標）や、『８ｍｍＲｕｌｅｄ３０Ｓｈｅｅｔｓ』等の文字である表示ｓ１が上下方向を明確に特定する態様で表示されている。そのため、一方の表紙１においては、これらの上下方向を示唆する表示ｓ１によって前記下辺１２を使用者の手前側にして使用すべき旨が示唆されている。
【００２８】
他方の表紙２には、図２における上辺１３に沿って印刷により『ＫＯＫＵＹＯ』（登録商標）や、『８ｍｍＲｕｌｅｄ３０Ｓｈｅｅｔｓ』等の文字である表示ｓ２が、前述する一方の表紙１に設けた上下方向を示唆する表示ｓ１に対して上下逆向きに表示されている。そのため、他方の表紙２においては、これらの上下方向を示唆する表示ｓ２によって前記上辺１３を使用者の手前側にして使用すべき旨が示唆されている。なお、図１及び図２において示されている『Ｃａｍｐｕｓ』は登録商標である。
【００２９】
中紙３は、クロスＣを用いて前記両表紙１、２間に無線綴じにより綴じられたもので、前記中紙３に施された罫線ｋを含む印刷パターンが、前記中紙３を見開いた状態において、上下及び左右に略対称となるように設定されている。すなわち、図３に示すように、中紙３を見開いた状態において、その上下方向中間部に位置する左右方向に延びる仮想中心線５を中心に、上下に対称をなすとともに、中紙３における上下方向に延びる背表紙の側すなわち綴じ元４側の端縁である綴じ元端縁３３を中心に、左右に対称をなしている。
【００３０】
詳述すれば、中紙３の各ページ３１、３２すなわち中紙３の一方のページ（一方の面）３１と、中紙３の他方のページ（他方の面）３２には、各ページ３１、３２の左右両端部間に延びる複数本の罫線ｋが上下方向に所定の間隔をあけて施されており、個々の罫線すなわち各罫線ｋは、視覚的に異なる複数種類の線ｋ１、ｋ２を備えている。
【００３１】
この実施形態における各罫線ｋは、複数種類の線として２種類の線、すなわち、使用者が任意に決定する第一の使用目的に供するための第一の線ｋ１と、使用者が任意に決定する第二の使用目的に供するための第二の線ｋ２とを左右方向に連続させてなるものである。これら第一の線ｋ１と第二の線ｋ２との左右方向の寸法比は、２対１〜３対１の間の値に設定されている。本実施形態では、前記第一の線ｋ１を、主に文章を書き込むための主要な線としており、第二の線ｋ２をその他の補助的な線としている。しかして、各罫線ｋは、主要な線ｋ１と補助的な線ｋ２とが各ページ３１、３２における中間部分において連結しており、これらが左右方向に連続して延びている。また、各罫線ｋは、主要な線ｋ１を補助的な線ｋ２よりも太く、換言すれば、補助的な線ｋ２を主要な線ｋ１よりも細く設定している。なお、図中の符号（特に罫線に関するもの）については、説明上の煩雑を避けるために、間引いて表示している。
【００３２】
主要な線ｋ１の両端部近傍には、一定間隔でドット状の目印ｍを小数個ずつ、すなわち３個ずつ施している。この目印ｍは、インデント形成用のもの、換言すれば、主として行頭を示唆するためのものであり、それぞれの目印ｍ間の間隔は８ｍｍ〜１０ｍｍ程度に設定されている。このように、主要な線ｋ１に複数個の目印ｍを一定間隔で設けることにより、これらの目印ｍを行頭の位置を決めるための指標とすることができ、段落を綺麗に揃えた記入や綺麗な箇条書きの記入に寄与するものとなる。
【００３３】
さらに、本実施形態では、主要な線ｋ１の両端部近傍にのみ目印ｍを３個ずつ配しており、主要な線ｋ１の左右方向中央部には目印を設けていないようにしている。このような構成にすることにより、目印ｍが主要な線ｋ１の全体に均一に配された場合の外観上の煩雑さや見苦しさを好適に抑制することができるとともに、中紙３の一方の面３１を利用する場合でも、他方の面３２を利用する場合でも、何れの場合でも、使用者に対して適切な箇所に行頭の位置を誘導することができるものとなっている。
【００３４】
また、各ページ３１、３２には、印刷パターンの一部を構成する斜線ｎ１、ｎ２を施している。本実施形態においては、斜線ｎ１、ｎ２を破線により表示している。これらの斜線ｎ１、ｎ２は、中紙３における外側、すなわち反綴じ元側の縁部における上下位置にある角領域ｃａ１、ｃａ２を区成するためのものである。また、上の角領域ｃａ１を区成する斜線ｎ１と、下の角領域ｃａ２を区成する斜線ｎ２とは、上下対称に設けられている。このように、各ページ３１、３２に上下対称をなす斜線ｎ１、ｎ２を統一的に表示することにより、種々の利用に供することができるものとなる。その一例としては、図６の（ａ）に示すように、当該斜線ｎ１を折り曲げることにより、そのページ３１を探す際の目印として利用することができる。また、同図の（ｂ）に示すように、別途ハサミやカッター等によって斜線ｎ１に沿って切断することにより角領域ｃａ１を取り除いて利用することもできる。さらに、同図の（ｃ）に示すように、斜線ｎ１により区成された角領域ｃａ１を筆記具等により色塗りすることによって目印とすることもできる。
【００３５】
各ページ３１、３２には、印刷パターンの一部を構成する表示欄ｒを施している。この表示欄ｒは、任意の記号等の表示を、例えば筆記具による記入又はステッカー等の貼着によって設けるためのものであり、各ページ３１、３２の反綴じ元側の縁部近傍における上下方向中央部分に配されている。本実施形態における表示欄ｒは、円形をなすものとしている。当該円により囲繞された部分には、図７に例示するように、使用者が任意に文字等を記入又は表示することができるようにしている。すなわち、表示欄ｒは、各ページ３１、３２に多機能を付与するためのものであり、例えば、ページ番号を明示するために使用したり、当該ページを利用する際の使用者の気分を図示したりして、使用者による独自の定義に従って任意の表示ができるようにすることで、使用者の個性を表出できるようにしている。
【００３６】
前記中紙３には、その一部を切り離すための切り離し線であるミシン目ｇを設けている。ミシン目ｇは、綴じ元４の近傍に設けられており、中紙３の上端縁３４から下端縁３５に亘る範囲において綴じ元端縁３３と略平行に設けられている。当該ミシン目ｇにより、特定の中紙３の一部分を使用者の任意で切り離して使用することができ、用紙の使用方法の選択肢が広がるものとなる。また、使用者の利便性が向上するとともに用紙の効果的な利用を促進することとなり、紙の無駄遣い等を好適に抑制することができる。
【００３７】
以上のような構成をなす冊子Ａにおいては、図３〜図５に示すように、用紙である中紙３の各ページ３１、３２が、各罫線ｋにおける主要な線ｋ１により形成される第一の領域Ｒ１と他の補助的な線ｋ２により形成される第二の領域Ｒ２とが、各線ｋ１、ｋ２の視覚的な相違、すなわち、第一の線ｋ１と第二の線ｋ２との太さの違いにより視覚的に区画されることになる。そのため、各罫線ｋが有する視覚的に異なる二種類の線ｋ１、ｋ２によって、各領域Ｒ１、Ｒ２を使用者が視覚的に把握、認識することができ、それぞれの領域Ｒ１、Ｒ２を別の目的に用いることもできるし、或いは、それらの領域Ｒ１、Ｒ２の存在を無視して各ページ３１、３２の左右両端部間に延びる各罫線ｋを通常通りに使用してページ３１、３２全体に文章を記述することも自由にできる。
【００３８】
換言すれば、左右方向に延び視覚的に相違する２種類の線ｋ１、ｋ２からなる罫線ｋを、同一の構成で上下方向に一定間隔で複数表示させることにより、視覚的に領域分けがなされるという作用を発揮しているが、従来のもののように縦線を用いて明示的に左右領域を分断させること無く実現している。
【００３９】
なお、図５においては、第一の領域Ｒ１と第二の領域Ｒ２とを分かりやすく説明するため、それぞれの領域Ｒ１、Ｒ２を網掛けにより示している。
【００４０】
各領域Ｒ１、Ｒ２をそれぞれ別の目的に使用する例としては、例えば次のようなものがある。すなわち、第一の領域Ｒ１を、授業やセミナー等の講義中にその内容を書きとめるために使用し、一方で、第二の領域Ｒ２を、前記第一の領域Ｒ１において書きとめた内容を、使用者独自の方法で後に整理するために使用するという方法がある。特に、講義内容を書きとめる際には、記入漏れを回避すべく急ぐ必要があるため、比較的乱雑な殴り書きとならざるを得ないという事情があることから、前述のような使用方法においては、第一の領域Ｒ１及び第二の領域Ｒ２をそれぞれ設けることは極めて有意義なものとなる。しかも、本実施形態における冊子Ａでは、第一、第二の領域Ｒ１、Ｒ２は、縦線によって左右に明確に分断されていないため、使用者は、両領域Ｒ１、Ｒ２が視覚的に分けられているにも関わらず、区分された場合の使用方法の強制的な限定等を伴う違和感を持つことなく臨機応変に第一、第二の領域Ｒ１、Ｒ２を無視して第一の線ｋ１と第二の線ｋ２とにわたる使用も妨げられない。このため、本実施形態における用紙、並びに、用紙である中紙３を備えてなる冊子Ａは、全体的に使用方法が制約されず、使用者の自由度が高いものとなっている。
【００４１】
また、第二の領域Ｒ２は、注釈や評価などを書きとめるためのいわゆる注釈欄として使用することもできる。例えば、第一の領域Ｒ１で記入した内容に関連させて、その注記すべき事項を第二の領域Ｒ２に上下位置を対応させて記入することによって、内容の理解を促進させたり、注意を促したりすることができる。
【００４２】
本実施形態における冊子Ａは、いわゆる双表紙の機能、すなわち、冊子Ａを閉じている状態において綴じ元４が使用者の左側に位置するようにした態様で、一方の表紙１を表にして違和感なく使用することもできるし、また、冊子Ａを閉じている状態において綴じ元４が使用者の左側に位置するようにした態様で、他方の表紙２を表にして違和感なく使用することもできるという機能を備えている。このため、例えば使用者が、二つの学科に対応する場合に、通常であれば各学科それぞれに独立のノートを用意して結果的に二つのノートを必要とするところを、本実施形態における冊子Ａであれば、一つで対応することが可能となる。しかも、中紙３を見開いた状態における各ページ３１、３２に施された印刷パターンを上下及び左右方向に対称にしているので、このような使用をしても何ら使用者に不自由や違和感が生じないものとなっている。
【００４３】
本実施形態における冊子Ａは、前述したように双表紙の機能を持ち備えつつ、中紙３に設けた複数本の罫線ｋを主要な線ｋ１と補助的な線ｋ２により構成しているため、利用者である学生等の切実なニーズに適合したものとなっている。すなわち、本実施形態における冊子Ａは、利用者にとって経済性に優れたものであるとともに、利用者の利便性を格段に向上させるものとなっている。
【００４４】
また、本実施形態では、主要な線ｋ１は綴じ元４側に配してなり、主要な線ｋ１よりも細い線である補助的な線ｋ２は反綴じ元側に配してなるため、中紙３を見開いた状態（図３及び図５を参照）においては、その見開き状態における両側部を、補助的な線ｋ２により視覚的に形成された第二の領域Ｒ２により両側から包囲するような外観を呈し、全体としてすっきりとした印象を与えるものとなっている。
【００４５】
なお、本発明は、以上に詳述した実施形態に限られるものではない。
【００４６】
各罫線における視覚的に異なる複数種類の線とは、本実施形態に示すものに限定されない。すなわち、本実施形態では、視覚的に異なる複数種類の線（より具体的には２種類）として、相互に太さが異なるものを連続させたものを示したが、かかる態様に限定されるものではない。例えば、各罫線における視覚的に異なる複数種類の線が、相互に色彩が異なるものとすることもできる。その一例としては、一方の線を青色に設定し、他方の線を水色に設定することなどが考えられる。かかる方法によっても所期の目的を十分に達成することができる。
【００４７】
また、各罫線における視覚的に異なる複数種類の線が、相互に形状が異なるものとすることもできる。その一例としては、一方の線を直線とし、他方の線を破線とすることなどが考えられる。かかる方法によっても所期の目的を十分に達成することができる。
【００４８】
本実施形態においては、罫線を構成する線を２種類としていたが、これに限られず、それ以上の複数種類としてもよい。
【００４９】
上下方向に略一定間隔で配される複数の罫線は、視覚的に認識される一の領域と他の領域とを表出させるためには一定数において同じ構成とする必要があるが、用紙における一定の上下範囲にわたって同じであればよく、必ずしも用紙の略全部領域を同じものとする必要はない。
【００５０】
各表紙に設けられた使用方向を示唆する表示は、文字に限られるものではなく、例えば、上下方向が特定される図形や絵、又は写真等を用いてもよい。
【００５１】
冊子とは、学校、家庭又はオフィス等で好適に用いられるノートの他にも、種々のものがあるのはもちろんのことである。例えば、日記帳や手帳としての用途に適した冊子や、カタログ等の閲覧に用いられる冊子など、本発明は種々の冊子に適用することができる。
【００５２】
本発明の趣旨を逸脱しない範囲において、冊子や中紙の上下寸法や左右寸法も適宜設定することもでき、また、各用途に合わせて中紙のデザインも変更することができる。
【００５３】
本実施形態では、無線綴じタイプのノートとして用いられる冊子を示していたが、これに限定されるものではなく、例えば、リングノートにも適用することができる。
【００５４】
目印はドット状のものに限られるものではなく種々の態様が考えられる。例えば、用紙の色彩を変更させることによって、目印としてもよい。
【００５５】
斜線は、本実施形態に示すような破線のものに限定されるものではなく、種々の線を用いることができる。また、斜線の傾斜角度も、任意に設定することができるのは勿論のことである。
【００５６】
表示欄は、本実施形態に示すような丸形のものに限定されず、例えば矩形のもの等、種々の形状のものが考えられる。
【００５７】
切り取り線は、ミシン目に限られるものでは無く、種々の形態のものを適用することができる。また、切り取り線の設けられる箇所は、本実施形態に示すものに限定されず、任意の箇所に設けることができる。例えば、使用者の任意で決定される第一の目的で使用するための第一の領域と、使用者の任意で決定される第二の目的で使用するための第二の領域との境界部分に設けるようにしてもよい。また、切り取り線は、一枚の中紙に複数設けても良いことは勿論のことである。
【００５８】
罫線は、左右方向に延びるもののほか、使用者から見て上下方向に延びるものであっても良い。このようなものであっても、横線を明示することにより明確に上下の各領域を分断することなく、上下領域を視覚的に区画することができるものとなる。
【００５９】
用紙は、本実施形態に示されるものに限定されない。用紙には、表紙間に種々の方法で綴じられる中紙として用いられるものの他、用紙のみが独立して使用されるものも含まれる。すなわち、用紙とは、種々の用途で用いられる紙であればよい。このような用紙には、例えば、ルーズリーフと称される紙も含まれるのは勿論のことである。
【００６０】
本実施形態に示す中紙は、冊子における両表紙間の全てに採用される必要はなく、複数枚のみに採用されるものであっても良いし、１枚のみに採用されるものであっても良い。
【００６１】
視覚的に異なる複数種類の線で連続させてなる罫線を一定間隔で複数本施してなる部分は、中紙における片面側すなわち１ページのみに採用されるものであっても良い。
【００６２】
さらに言えば、視覚的に異なる複数種類の線で連続させてなる罫線を、一定間隔で複数本施してなる部分は、用紙における一部分のみに採用されるものであってもよい。
【００６３】
その他、各部の具体的構成についても上記実施形態に限られるものではなく、本発明の趣旨を逸脱しない範囲で種々変形が可能である。
【符号の説明】
【００６４】
１…（一方の）表紙
２…（他方の）表紙
３…用紙（中紙）
Ａ…冊子
ｇ…切り取り線（ミシン目）
ｋ…罫線
ｍ…目印
ｎ１…斜線
ｎ２…斜線
ｒ…表示欄
ｓ１…使用方向を示唆する表示
ｓ２…使用方向を示唆する表示
【図３】
2012035505.tif 000003
【図４】
2012035505.tif 000004
【図６】
2012035505.tif 000005
【図７】
2012035505.tif 000006
【図１】
2012035505.tif 000007
【図２】
2012035505.tif 000008
【図５】
2012035505.tif 000009